(57)【要約】【課題】部材間にシーラントが塗布された複数の部材に対して貫通孔が形成された後、貫通孔の内部に流入するシーラントを迅速かつ簡易に除去することを目的とする。【解決手段】貫通孔形成方法は、切削工具が軸周りに回転し、複数の部材間にシーラントが配設されている複数の部材に対して貫通孔を形成するステップ（Ｓ２）と、貫通孔が形成された後、切削工具が軸周りの回転を所定時間又は所定回転回数継続し、貫通孔の内部に流入したシーラントを除去するステップ（Ｓ４）とを備える。【選択図】図２
2020082259.tif 000002
【特許請求の範囲】
【請求項１】
切削工具が軸周りに回転し、複数の部材間に流動性材料が配設されている前記複数の部材に対して貫通孔を形成するステップと、
前記貫通孔が形成された後、前記切削工具が軸周りの回転を所定時間又は所定回転回数継続し、前記貫通孔の内部に流入した前記流動性材料を除去するステップと、
を備える貫通孔形成方法。
【請求項２】
前記所定時間は０．１秒以上１０秒以下である請求項１に記載の貫通孔形成方法。
【請求項３】
前記所定回転回数は５回以上である請求項１に記載の貫通孔形成方法。
【請求項４】
前記切削工具によって前記貫通孔が形成されている間、所定の第１圧力を前記複数の部材に付与して、前記複数の部材を挟む請求項１から３のいずれか１項に記載の貫通孔形成方法。
【請求項５】
前記貫通孔が形成された後、前記第１圧力よりも低い所定の第２圧力を前記複数の部材に付与して、前記複数の部材を挟む請求項４に記載の貫通孔形成方法。
【請求項６】
軸周りに回転する切削工具と、
前記切削工具を駆動する駆動部と、
前記駆動部を制御する制御部と、
を備え、
前記制御部は、
複数の部材間に流動性材料が配設されている前記複数の部材に対して貫通孔を形成するように前記駆動部を制御する貫通孔形成部と、
前記貫通孔が形成された後、前記切削工具が、所定回転回数又は所定時間で、軸周りの回転を継続し、前記貫通孔の内部に流入した前記流動性材料を除去するように前記駆動部を制御する流動性材料除去部と、
を備える貫通孔形成装置。
【発明の詳細な説明】
【技術分野】
【０００１】
本発明は、貫通孔形成方法及び貫通孔形成装置に関するものである。
【背景技術】
【０００２】
航空機部品の板材（例えばスキン）を複数枚重ね合わせる際、複数の板材間に流動性材料であるシーラントを塗布する場合がある。特に板材がアルミニウム合金の場合、防食化を図るため、シーラントの塗布が必要とされる。重ね合わされた板材は、リベット等の締結部品によって互いに結合される。
【０００３】
リベットを挿通するための貫通孔は、板材間にシーラントが塗布されて重ね合わされた後、ドリル等の加工装置によって複数の板材に一気通貫に形成される。シーラントが塗布された層も貫通孔の内部に面するため、貫通孔が形成された後、板材間から貫通孔内部へシーラントが流入することがある。
【０００４】
なお、下記の特許文献１では、切削によって生じ残留した切片を吸引によって除去する技術が開示されている。
【先行技術文献】
【特許文献】
【０００５】
【特許文献１】米国特許第５２１３４５４号明細書
【発明の概要】
【発明が解決しようとする課題】
【０００６】
貫通穴内にシーラントが残留したままリベットを打鋲すると、リベットの変形がシーラントによって妨げられてリベットの変形が不十分となり、貫通孔において板材とリベットの間に隙間又はシーラント層が設けられてしまう。その結果、リベットによって固定された複数の部材は、隙間又はシーラント層以外の部分において板材からリベットへ荷重が伝達されるため、リベットの外周全面を用いて荷重を伝達することができない。その結果、重ね合わされた板材の強度が所定値よりも低下する。そのため、打鋲品質を維持する観点から、貫通孔を形成し、貫通孔の内面からシーラントを除去した後、リベットを固定する必要がある。
【０００７】
シーラントを除去する方法として、作業員が一つずつ貫通孔を清掃することが考えられる。しかし、貫通孔形成とリベット打鋲の間において、機械による自動化作業が中断されてしまう。また、手作業による清掃は手間と時間がかかるという問題がある。
【０００８】
さらに、貫通孔の内面からのシーラント除去作業を自動化することが考えられる。しかし、従来の穴明けヘッド、打鋲ヘッドを有する機械に対して、シーラント清掃ヘッドを追加する必要がある。また、貫通孔形成、貫通孔清掃、リベット打鋲の作業ごとにヘッドの切り換えが必要となり、自動化作業であるが、切り換え回数が多いため、時間がかかってしまう。
【０００９】
本発明は、このような事情に鑑みてなされたものであって、部材間に流動性材料が塗布された複数の部材に対して貫通孔が形成された後、貫通孔の内部に流入する流動性材料を迅速かつ簡易に除去することが可能な貫通孔形成方法及び貫通孔形成装置を提供することを目的とする。
【課題を解決するための手段】
【００１０】
上記課題を解決するために、本発明の貫通孔形成方法及び貫通孔形成装置は以下の手段を採用する。
すなわち、本発明に係る貫通孔形成方法は、切削工具が軸周りに回転し、複数の部材間に流動性材料が配設されている前記複数の部材に対して貫通孔を形成するステップと、前記貫通孔が形成された後、前記切削工具が軸周りの回転を所定時間又は所定回転回数継続し、前記貫通孔の内部に流入した前記流動性材料を除去するステップとを備える。
【００１１】
この構成によれば、軸周りに回転する切削工具によって、複数の部材間に流動性材料が配設されている複数の部材に対して貫通孔が形成され、貫通孔が形成された後、切削工具において、軸周りの回転が所定時間又は所定回転回数継続される。その結果、複数の部材間から貫通孔の内部に流入した流動性材料が除去される。
【００１２】
上記発明において、前記所定時間は０．１秒以上１０秒以下であり、より適切には１秒以上２秒以下であるとよい。
【００１３】
上記発明において、前記所定回転回数は５回転以上であり、より適切には１００回以上であるとよい。
【００１４】
上記発明において、前記切削工具によって前記貫通孔が形成されている間、所定の第１圧力を前記複数の部材に付与して、前記複数の部材を挟んでもよい。
【００１５】
上記発明において、前記貫通孔が形成された後、前記第１圧力よりも低い所定の第２圧力を前記複数の部材に付与して、前記複数の部材を挟んでもよい。
【００１６】
本発明に係る貫通孔形成装置は、軸周りに回転する切削工具と、前記切削工具を駆動する駆動部と、前記駆動部を制御する制御部とを備え、前記制御部は、複数の部材間に流動性材料が配設されている前記複数の部材に対して貫通孔を形成するように前記駆動部を制御する貫通孔形成部と、前記貫通孔が形成された後、前記切削工具が、所定回転回数又は所定時間で、軸周りの回転を継続し、前記貫通孔の内部に流入した前記流動性材料を除去するように前記駆動部を制御する流動性材料除去部とを備える。
【発明の効果】
【００１７】
本発明によれば、部材間に流動性材料が塗布された複数の部材に対して貫通孔が形成された後、貫通孔の内部に流入する流動性材料を迅速かつ簡易に除去することができる。
【図面の簡単な説明】
【００１８】
【図１】本発明の第１実施形態に係る貫通孔形成装置を示す概略図である。
【図２】本発明の第１実施形態に係る貫通孔形成装置の動作を示すフローチャートである。
【図３】本発明の第２実施形態に係るクランプ装置及び貫通孔形成装置を示す概略図である。
【図４】本発明の第２実施形態に係るクランプ装置及び貫通孔形成装置の一連の動作を示す概略図である。
【図５】本発明の第２実施形態に係るクランプ装置、貫通孔形成装置及び打鋲装置の一連の動作を示す概略図である。
【図６】本発明の第２実施形態に係るクランプ装置の動作を示すフローチャートである。
【発明を実施するための形態】
【００１９】
以下に、本発明に係る実施形態について、図面を参照して説明する。
［第１実施形態］
以下、本発明の第１実施形態に係る貫通孔形成装置１について、図１を用いて説明する。
貫通孔形成装置１は、例えば、ドリル（切削工具）２と、駆動部３と、制御部４を備える。貫通孔形成装置１は、ドリル２によって、ワーク５０を切削して、ワーク５０に円形状の貫通孔５２を形成する。ワーク５０に設けられた貫通孔５２には、リベットが挿通されて固定される。
【００２０】
ワーク５０は、例えば、板材５１が複数枚重ね合わされたものであり、かつ、複数の板材５１間にシーラント（流動性材料）が塗布されている。板材５１は、例えばアルミニウム合金、チタン合金、複合材などである。ワーク５０には、リベットを固定するための貫通孔５２が形成される。
【００２１】
ドリル２は、切削工具の一例であり、軸線周りに回転しながら、送り方向に移動することによって、ワーク５０を切削できる。
【００２２】
駆動部３は、主軸モータと送りモータを有する。主軸モータは、電力を受けて駆動し、ドリル２を軸線周りに回転させる。送りモータは、電力を受けて駆動し、ドリル２を軸線方向（送り方向）に移動させる。なお、駆動部３は、電力駆動ではなく油圧駆動又はエア駆動でもよい。
【００２３】
制御部４は、例えば、貫通孔形成部５と、移動量検出部６と、シーラント除去部７などを有する。
【００２４】
貫通孔形成部５は、複数の板材５１間にシーラントが配設されている複数の板材５１に対して貫通孔５２を形成するように駆動部３を制御する。例えば、貫通孔形成部５は、形成する貫通孔５２ごとに予め決定された回転数や送り速度に設定してドリル２を駆動させる。ドリル２の回転数は、例えば７５０ｒｐｍ〜１８０００ｒｐｍである。
【００２５】
移動量検出部６は、回転時のドリル２の軸方向の移動量を検出する。移動量検出部６は、回転時のドリル２が所定の移動量を移動したか否か、すなわち、複数の板材５１が重ね合わされたワーク５０の板厚分をドリル２が移動したか否かに応じて、ドリル２による貫通孔５２の形成が継続していることを検出したり、又は、ドリル２が複数の板材５１を貫通し終えて貫通孔５２が形成されたことを検出したりすることができる。
【００２６】
シーラント除去部７は、移動量検出部６において、貫通孔５２が形成されたことが検出された後、ドリル２が、予め記録された所定回転回数分又は所定時間分、軸周りの回転を継続するように駆動部３を制御する。これにより、貫通孔５２が形成された後に、ドリル２が、所定回転回数分又は所定時間分、空転することによって、ドリル２が貫通孔５２の内部に流入したシーラントを掻き出して、シーラントが貫通孔５２から除去される。上記所定回転回数は５回転以上であり、より適切には１００回以上であるとよい。また、上記所定時間は０．１秒以上１０秒以下であり、より適切には１秒以上２秒以下であるとよい。
【００２７】
所定回転回数又は所定時間は、メモリ等において予め記録されており、結合する板材５１の組み合わせごとに設定されてもよい。所定回転回数又は所定時間は、実際の製造の前に行われる試験又はシミュレーションにおいて、貫通孔５２に流入したシーラントが除去されたか否かを確認することで取得される。
【００２８】
制御部４は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２９】
次に、図２を参照して、本実施形態に係る貫通孔形成装置１の動作について説明する。
【００３０】
複数の板材５１が重ね合わされたワーク５０に貫通孔５２を形成するため、ワーク５０と貫通孔形成装置１を準備する（ステップＳ１）。例えば、ワーク５０をクランプ装置１１に設置し、貫通孔形成装置１が、クランプ装置１１に設置されたワーク５０へ移動する。
【００３１】
そして、ワーク５０に対して所定の回転数及び送り速度でドリル２を駆動させて（ステップＳ２）、ワーク５０に貫通孔５２を形成する。このとき、移動量検出部６において、回転時のドリル２の軸方向の移動量が検出され、貫通孔５２の形成が完了しているか否かが判断される（ステップＳ３）。複数の板材５１間にシーラントが塗布されて配設されていることから、貫通孔５２が形成されることによって、貫通孔５２の内部にシーラントが流入する。
【００３２】
移動量検出部６は、回転時のドリル２が所定の移動量を移動したか否か、すなわち、複数の板材５１が重ね合わされたワーク５０の板厚分をドリル２が移動したか否かに応じて、ドリル２による貫通孔５２の形成が継続していることを検出したり、又は、ドリル２が複数の板材５１を貫通し終えて貫通孔５２が形成されたことを検出したりする。
【００３３】
移動量検出部６において、貫通孔５２が形成されたことが検出された後、ドリル２は、予め記録された所定回転回数分又は所定時間分、軸周りの回転を継続する（ステップＳ４）。予め記録された所定回転回数分又は所定時間分、軸周りの回転が継続された後、ドリル２は回転を停止する（ステップＳ５）。ドリル２が空転することによって、その間に、貫通孔５２の内部に流入したシーラントが掻き出されて、シーラントが貫通孔５２から除去される。
【００３４】
本実施形態によれば、作業員による手作業や、シーラント除去専用の工具を用いた自動化作業によらずに、貫通孔５２を形成するために用いるドリル２によって、貫通孔５２に流入したシーラントが除去される。したがって、貫通孔５２の形成からリベットの打鋲までの間において、シーラントの除去にかかる時間や手間を低減できる。また、自動穴明け・打鋲機を用いる場合、シーラント除去専用の工具を取り付けずに、ドリル２を使用すればよいため、穴明けヘッド、打鋲ヘッドを有する機械に対してシーラント清掃ヘッドを追加する必要がない。
【００３５】
なお、発明者らによって、あるシーラントを所定量塗布した場合において、貫通孔５２の内部に流入したシーラントが掻き出すためには、貫通孔５２が形成されたことが検出された後、ドリル２の回転を１００回転以上継続させると、シーラントが貫通孔５２から確実に除去されるという知見が得られた。すなわち、１００回転未満の回転回数では、依然としてシーラントが貫通孔５２に残留していた。また、３００回転、５００回転のように回転回数を増加させた場合でも、１００回転とした場合と同様の除去効果であった。作業時間を短縮させるためには、回転回数が少ない方が望ましく、１００回転に設定することが望ましい。なお、回転回数に関する結果は適用するシーラントの種類や塗布量によって変わりうる。
【００３６】
また、発明者らによって、貫通孔５２の内部に流入したシーラントが掻き出すためには、貫通孔５２が形成されたことが検出された後、ドリル２の回転を１秒以上継続させると確実に、シーラントが貫通孔５２から除去されるという知見が得られた。すなわち、１秒未満の空転時間では、依然としてシーラントが貫通孔５２に残留していた。また、空転時間を１秒以上にした場合でも、１秒とした場合と同様の除去効果であった。作業時間を短縮させるためには、空転時間が短い方が望ましく、２秒以下に設定することが望ましい。なお、空転時間に関する結果は適用するシーラントの種類や塗布量によって変わりうる。
【００３７】
［第２実施形態］
次に、本発明の第２実施形態に係る貫通孔形成装置１について、図３を用いて説明する。
【００３８】
本実施形態において、第１実施形態で説明したシーラント除去方法は同一である。本実施形態では、後述するとおり、クランプ装置１１を動作させて実施されるワーク５０のクランプ方法が更に追加される。
【００３９】
クランプ装置１１は、図３に示すように、上方支持部１２と、下方支持部１３と、駆動部１４と、制御部１５などを有する。クランプ装置１１は、上方支持部１２と下方支持部１３の間に配置されたワーク５０を挟むことが可能である。
【００４０】
上方支持部１２は、例えば円筒形状を有する筒状部材を備え、ワーク５０の上面側に配置される。上方支持部１２は、貫通孔５２を形成する位置を中心にして、筒状部材の下端でワーク５０を支持する。
【００４１】
下方支持部１３は、例えば円筒形状を有する筒状部材を備え、ワーク５０の下面側に配置される。下方支持部１３は、貫通孔５２を形成する位置を中心にして、筒状部材の上端でワーク５０を支持する。上方支持部１２と下方支持部１３は、駆動部１４によって、ワーク５０に対して離隔したり接近したりする方向に移動可能に構成される。
【００４２】
上方支持部１２の筒状部材の内部には、図４及び図５に示すように、貫通孔形成装置１のドリル２又は打鋲装置３０のアンビル（押圧部）３１が通過する。上方支持部１２の筒状部材の径は、下方支持部１３の筒状部材の径よりも大きい。そのため、上方支持部１２がワーク５０を支持する位置と、下方支持部１３がワーク５０を支持する位置は、ずれている。そのため、後述するとおり、ワーク５０に第１圧力を付与すると、ワーク５０が上方に凸状に撓む場合がある。
【００４３】
下方支持部１３の筒状部材の内部には、図５に示すように、打鋲装置３０のアンビル（押圧部）３２が通過する。貫通孔形成装置１のドリル２が通過しない下方支持部１３では、筒状部材の径を小さくすることによって、貫通孔５２の形成作業及びリベット５３の打鋲作業の際、下方支持部１３の周囲に位置する他の部品と干渉しにくくなる。
【００４４】
なお、上方支持部１２及び下方支持部１３は、例えば円筒形状を有する筒状部材を備える場合に限定されず、上方支持部１２及び下方支持部１３は、貫通孔５２を形成する位置を中心にして、貫通孔５２を形成する位置の両側で１点ずつ、ワーク５０を合計２点支持する構成を有するものでもよい。この場合、上方支持部１２の支持点は、貫通孔５２を形成する位置に対して、下方支持部１３の支持点よりも外側に位置する。そのため、上方支持部１２がワーク５０を支持する位置と、下方支持部１３がワーク５０を支持する位置は、ずれている。
【００４５】
駆動部１４は、例えばモータであり、電力を受けて駆動し、上方支持部１２と下方支持部１３の筒状部材の軸線方向に、上方支持部１２と下方支持部１３をそれぞれ移動させる。
【００４６】
制御部１５は、例えば、第１クランプ力制御部１６と、第２クランプ力制御部１７とを備える。
【００４７】
第１クランプ力制御部１６は、ドリル２によって複数の板材５１が重ね合わされたワーク５０に対して貫通孔５２が形成されている間、上方支持部１２及び下方支持部１３が、所定の第１圧力をワーク５０に付与した状態で、ワーク５０を挟むように駆動部１４を制御する。例えば、第１クランプ力制御部１６は、予め設定された位置に、下方支持部１３を移動させる。または、上方支持部１２と下方支持部１３の挟み込みによってワーク５０に作用されている負荷を検出する検出部の検出結果に基づいて、下方支持部１３を移動させる。その結果、所定の第１圧力がワーク５０に付与された状態となる。
【００４８】
第１クランプ力制御部１６によって、予め設定された位置に下方支持部１３を移動させる場合、移動位置は、メモリ等において予め記録されており、クランプ装置１１によって挟まれるワーク５０ごとに設定されてもよい。移動位置は、実際の製造の前に行われる試験又はシミュレーションにおいて、所定の第１圧力がワーク５０に付与された状態となる下方支持部１３の位置を確認することで取得される。
【００４９】
所定の第１圧力は、重ね合わされた複数の板材５１間のシーラントを貫通孔５２に強制的に流出させるような圧力で設定される。
【００５０】
第２クランプ力制御部１７は、貫通孔５２が形成されてから、打鋲装置３０によって貫通孔５２に挿通された締結部品が複数の板材５１に固定されるまでの間、上方支持部１２及び下方支持部１３が、第１圧力よりも低い所定の第２圧力をワーク５０に付与した状態で、ワーク５０を挟むように駆動部１４を制御する。
【００５１】
例えば、第２クランプ力制御部１７は、予め設定された位置に、下方支持部１３を移動させる。または、上方支持部１２と下方支持部１３の挟み込みによってワーク５０に作用されている負荷を検出する検出部の検出結果に基づいて、下方支持部１３を移動させる。その結果、所定の第２圧力がワーク５０に付与された状態となる。
【００５２】
第２クランプ力制御部１７によって、予め設定された位置に下方支持部１３を移動させる場合、移動位置は、メモリ等において予め記録されており、クランプ装置１１によって挟まれるワーク５０ごとに設定されてもよい。移動位置は、実際の製造の前に行われる試験又はシミュレーションにおいて、所定の第２圧力がワーク５０に付与された状態となる下方支持部１３の位置を確認することで取得される。
【００５３】
所定の第２圧力は、重ね合わされた複数の板材５１が凸状又は凹状に撓まないような圧力で設定されることが好ましい。
【００５４】
制御部１５は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００５５】
次に、図４〜図６を参照して、本実施形態に係るクランプ装置１１の動作について説明する。
【００５６】
ワーク５０をクランプ装置１１に挟むため、まず、図４（ａ）に示すように、クランプ装置１１に複数の板材５１が重ね合わされたワーク５０を載置する（ステップＳ１１）。
ワーク５０を設置した後、上方支持部１２を上方からワーク５０のほうへ接近させて、上方支持部１２の筒状部材の下端をワーク５０に接触させる（ステップＳ１２）。
【００５７】
次に、図４（ｂ）に示すように、下方支持部１３を下方からワーク５０のほうへ接近させて、下方支持部１３の筒状部材の上端をワーク５０に接触させる。下方支持部１３を移動して、上方支持部１２及び下方支持部１３が、所定の第１圧力をワーク５０に付与した状態となるように、ワーク５０を挟む（ステップＳ１３）。
【００５８】
そして、図４（ｃ）に示すように、第１圧力がワーク５０に付与された状態でドリル２を駆動させて、ドリル２がワーク５０に対して貫通孔５２を形成する（ステップＳ１４）。このとき、第１実施形態で説明したとおり、移動量検出部６において、回転時のドリル２の軸方向の移動量が検出され、貫通孔５２の形成が完了しているか否かが判断される（図２のステップＳ３）。移動量検出部６は、回転時のドリル２の軸方向の移動量に応じて、ドリル２による貫通孔５２の形成が継続していることを検出したり、又は、ドリル２が複数の板材５１を貫通し終えて貫通孔５２が形成されたことを検出したりする。
【００５９】
移動量検出部６において、貫通孔５２が形成されたことが検出された後、ドリル２は、予め記録された所定回転回数分又は所定時間分、軸周りの回転を継続する（図２のステップＳ４）。予め記録された所定回転回数分又は所定時間分、軸周りの回転が継続された後、ドリル２は回転を停止する（図２のステップＳ５）。ドリル２が空転することによって、その間に、貫通孔５２の内部に流入したシーラントが掻き出されて、シーラントが貫通孔５２から除去される。
【００６０】
第１圧力の設定値は、重ね合わされた複数の板材５１間のシーラントを貫通孔５２に強制的に流出させるような圧力である。したがって、複数の板材５１に対して貫通孔５２を形成し、更に、ドリル２が空転しているとき、シーラントが貫通孔５２に流出される。その結果、貫通孔５２が形成され、ドリル２が抜かれた後に、シーラントが貫通孔５２に流入する可能性を低減できる。
【００６１】
図５（ｄ）に示すように、貫通孔５２が形成された後、下方支持部１３を移動して、上方支持部１２及び下方支持部１３が、第１圧力よりも低い所定の第２圧力をワーク５０に付与した状態となるように、ワーク５０を挟む（ステップＳ１５）。
【００６２】
所定の第２圧力がワーク５０に付与されることによって、重ね合わされた複数の板材５１が凸状又は凹状に撓まない状態となる。これにより、複数の板材５１間に付与される圧力が低減されるため、複数の板材５１間から貫通孔５２内部へシーラントが流出しにくくなる。
【００６３】
次に、図５（ｅ）及び図５（ｆ）に示すように、第２圧力がワーク５０に付与された状態で、貫通孔５２にリベット５３を挿通し、打鋲装置３０が、貫通孔５２に挿通されたリベット５３をワーク５０に固定する（ステップＳ１６）。貫通孔５２の形成時よりも低い圧力で複数の板材５１が挟まれて、重ね合わされた複数の板材５１が凸状又は凹状に撓まない状態で、リベット５３が打鋲装置３０によって固定される。
【００６４】
その結果、リベット５３と複数の板材５１の間に隙間が形成されにくくなり、打鋲品質が向上する。すなわち、リベット５３によって固定された複数の板材５１は、隙間以外の部分において部分的に板材５１からリベット５３へ荷重が伝達されるのではなく、リベット５３の外周全面を用いて荷重を伝達することができる。
【００６５】
なお、上記実施形態では、複数の板材５１間にシーラントが塗布される場合について説明したが、本願発明はこの例に限定されない。複数の部材間に適用される流動性材料として、接着剤等の合成樹脂、グリースや防錆剤等の油脂などでもよい。
【符号の説明】
【００６６】
１      ：貫通孔形成装置
２      ：ドリル（切削工具）
３      ：駆動部
４      ：制御部
５      ：貫通孔形成部
６      ：移動量検出部
７      ：シーラント除去部
１１    ：クランプ装置
１２    ：上方支持部
１３    ：下方支持部
１４    ：駆動部
１５    ：制御部
１６    ：第１クランプ力制御部
１７    ：第２クランプ力制御部
３０    ：打鋲装置
５０    ：ワーク
５１    ：板材
５２    ：貫通孔
５３    ：リベット
【図１】
2020082259.tif 000003
【図２】
2020082259.tif 000004
【図３】
2020082259.tif 000005
【図４】
2020082259.tif 000006
【図５】
2020082259.tif 000007
【図６】
2020082259.tif 000008